(57)【要約】      （修正有）【課題】夏季等、高温時におけるマスクの不快感を低減させる涼感マスクを提供する。【解決手段】吸水ポリマーを包含した保水性部材２をマスク１内に収納し、予め補水した保水性部材から水分がマスクに供給される。マスク装着者の体温、周辺環境の影響からマスクの水分が蒸発、その気化熱を使用しマスク内部の温度を低下させる。【選択図】図４
0003230578.tif 000002
【実用新案登録請求の範囲】
【請求項１】
吸水性ポリマーを不織布、ウレタンフォームや布等に挟み込み、溶着・粘着、または接着固着された構造の保水性部材。
長時間、保水性部材に蓄えた水分をマスク本体に供給する。
【請求項２】
マスク本体は速乾・冷感性を有する素材で構成されており、保水性部材をマスク内部に配置できる構造となっている。
【請求項３】
保水部材の水分が、マスクにしみ出し、蒸発する際の気化熱により、マスクに内・外部の温度を低下させる事により、熱さを感じ難いマスク。
【考案の詳細な説明】
【技術分野】
【０００１】マスクに保水機能を持たせ、水分蒸発の気化熱を利用し、マスク内部の温度上昇を軽減するマスクに関するものである。
【背景技術】
【０００２】マスク内部は装着者の吐息や体温等により温度上昇が著しく、制限された通気性により高温状態が継続され易い。環境気温が高温時、装着者は不快感により、マスクの装着を阻害していた。
【先行技術文献】
【０００３】
【特許文献】
【特許文献】特開２０１９−３９１０１  公報
【特許文献１】特開２０１０−３５５６３  公報
【考案の概要】
【考案が解決しようとする課題】
【０００４】通年インフルエンザ、感冒等の予防として気温の低い空気が乾燥している冬季にマスクの必要性が高かったが、Ｃｏｖｉｄ−１９新型コロナウイルス感染症により外気温の高い夏季でも、マスクの着用が社会的に要求されている。夏季のマスク着用は、着用者の置かれている環境気温や自身の呼気、体温の影響からマスク内の温度が上昇し、その不快感から装着者のマスク装着意識を低減させる１要因でもあった。
【課題を解決するための手段】
【０００５】過去、吸水性ポリマーを使った先行技術案件では乾燥を防ぐ目的での加湿、鼻水等の吸水目的であった。
本考案は吸水ポリマーを包含した保水性部材（図１の２）に予め水分を与え、速乾性の冷感生地で構成されたマスク本体（図１の１）に収納。吸水した保水性部材からマスク本体に水分がしみ出し、マスク装着者の体温によりマスク本体の水分が蒸発。気化熱からマスクの温度を下げる事でマスク内部の温度を下げる。加えて呼吸を妨げる事のない様、口・鼻の部位は避けた部位に部材を配置、マスク側面から引き出すことで容易に脱着ができる構造のほか、保水性部材をマスク本体の構造に縫い付けたタイプもある。
【考案の効果】
【０００６】社内の実験から、装着状態で４時間以上の保水が確認されており、空気が乾燥している環境下では、さらに効果的に機能した。
保水性部品は再使用が可能で３回〜５回以上の繰り返し使用が可能である。
【図面の簡単な説明】
【０００７】
【図１】マスクの平面図
【図２】マスクの構成図
【図３】保水部材の構造図
【図４】マスクの装着図
【考案を実施するための形態】
【０００８】マスク本体は２枚の速乾と冷感性を有する素材から構成され、マスク素材の間に、保水性部材を配置する。
配置される保水性部材は顆粒状の吸水性ポリマーとホットメルトシートやテープ等を上下２枚の不織布等で挟み込み、溶着・粘着固着された構造とする。ポリマーの固定は、接着剤を使用、接着固定をする事もある。
息苦しさを防止する狙いから保水性部材が装着者の口・鼻を遮らない構造とする。
保水部材の水分が、マスクにしみ出し、マスク装着者の体温により蒸発する際の気化熱を利用し、マスクに内部・及び周辺の温度を低下させる事により、熱さを感じ難いマスクとなる。
【実施例】
【０００９】添付図面に沿って実例を説明する。
本考案はマスクの本体と保水性部材から構成されている。
図１はマスクの片側を表したもので、斜線部が保水性部材、１対のマスクで２枚の保水性部材を必要とする。また、保水性部材はマスク本体の端部より差し込みが可能（矢印方向）な形状で容易に脱着が可能な構造とする。【００１０】図２の１、１−１はマスク本体で、速乾性と冷感性を有したナイロン・ポリエステル等の生地を使用し、縫製にて構成される。【００１１】吸水性ポリマー（図３の３）の顆粒をホットメルトシートまたはテープ（図３の５）上に配置し、その上下を不織布等（図３の１、１−１）で挟み込み溶着・粘着または接着をする。【００１２】マスクを使用する際は、保水性部材をマスク本体から取り出し補水する。
再度マスク内にこれを収め、通常のマスクと同様に耳掛け部を利用し、口、鼻を覆う。保水性部材から染み出た水分が毛細管現象によりマスクに水分が供給され、マスク装着者の体温と、周囲の乾燥状態により水分が蒸発。気化熱を利用しマスク内外の温度を低下させる。
【符号の説明】
【００１３】１  速乾性・冷感素材（マスク本体構成材）
１−１  同上
２  保水性部材（下記３〜５を構成品とした部材）
３  吸水性ポリマー（顆粒）
４  不織布（保水性部材）
４−１  同上
５  ホットメルトシート（溶着材）またはテープ
【配列表フリーテキスト】
【図１】
0003230578.tif 000003
【図２】
0003230578.tif 000004
【図３】
0003230578.tif 000005
【図４】
0003230578.tif 000006
【手続補正書】
【提出日】令和2年11月5日(2020.11.5)
【手続補正１】
【補正対象書類名】実用新案登録請求の範囲
【補正対象項目名】全文
【補正方法】変更
【補正の内容】
【実用新案登録請求の範囲】
【請求項１】
２層以上の布に挟まれたマスク本体内部に保水性部材を有する事を特徴とするマスク
【請求項２】
吸水性ポリマーを熱溶着フィルムまたは、両面テープで固定し形成された前記保水性部材を有する事を特徴とする請求項１記載のマスク。
【請求項３】
保水性部材は口と鼻のどちらか一方、またはその両方を避け、呼吸の妨げにならない配置をした事を特徴とする請求項１または２記載のマスク。
【手続補正３】
【補正対象書類名】明細書
【補正対象項目名】０００５
【補正方法】変更
【補正の内容】
【０００５】過去、吸水性ポリマーを使った先行技術案件では乾燥を防ぐ目的での加湿、鼻水等の吸水目的であった。本考案は吸水性ポリマーを包含した保水性部材（図２の２）に予め水分を与え、布素材のマスク本体（図１）に収納。吸水した保水性部材からマスク本体に水分がしみ出し、装着者の体温により同水分が蒸発。気化熱効果によりマスク内部の温度を下げる。加えて保水性部材は呼吸を妨げる事のない様、口・鼻の部位を避けて配置、かつマスク側面から脱着が可能な構造とした。
【手続補正４】
【補正対象書類名】明細書
【補正対象項目名】０００７
【補正方法】変更
【補正の内容】
【０００７】
【図１】マスクの平面図
【図２】マスクの構成図
【図３】保水性部材の構造図
【図４】マスクの装着図
【手続補正５】
【補正対象書類名】明細書
【補正対象項目名】０００８
【補正方法】変更
【補正の内容】
【０００８】マスク素材は布素材とし素材の間に保水性部材を配置する。保水性部材は吸水性ポリマーを熱溶着フィルムにて溶着、または両面テープで固定し、上下２枚の不織布で挟み込む構造とする。保水性部材が呼吸を阻害し息苦しさ防止する為、装着者の口・鼻を遮らない構造とする。  保水性部材の水分が、マスク本体にしみ出し、マスク装着者の体温により蒸発する際の気化熱を利用し、マスク内部・及び周辺の温度を低下させる事で、熱さを感じ難いマスクとした。
【手続補正６】
【補正対象書類名】明細書
【補正対象項目名】０００９
【補正方法】変更
【補正の内容】
【０００９】図面１に沿って構造説明をする。本考案はマスク本体と保水性部材から構成されている。図はマスクの片側を表したもので、斜線部が保水性部材、１つのマスクで２個の保水性部材を必要とする。保水性部材はマスク本体の側面より脱着が可能（矢印方向）な構造である。
【手続補正７】
【補正対象書類名】明細書
【補正対象項目名】００１０
【補正方法】変更
【補正の内容】
【００１０】図２の１、１−１はマスク本体であり布素材にて、縫製構造とする。
【手続補正８】
【補正対象書類名】明細書
【補正対象項目名】００１１
【補正方法】変更
【補正の内容】
【００１１】吸水性ポリマー（図３の３）の顆粒を熱溶着フィルムまたは両面テープ（図３の５）上に配置し、その上下を不織布（図３の１、１−１）で挟み込み、溶着もしくは、テープの粘着にて固定をする。
【手続補正９】
【補正対象書類名】明細書
【補正対象項目名】００１３
【補正方法】変更
【補正の内容】
【００１３】１  布素材（マスク本体構成材）１−１  同上２  保水性部材（下記３〜５を構成品とした部材）３  吸水性ポリマー４  不織布４−１  同上５  熱溶着フィルムまたは両面テープ